(57)【特許請求の範囲】
【請求項１】
シート材料から、凸部又は凹部となる段付部位を含んでいる所定の形状の平坦部と上記平坦部の周辺から上記平坦部の表面に対し交差する所定の方向に向かい折り曲げられた周辺折り曲げ部とを備えており筒状の容器本体の端部開口に挿入されて上記平坦部で上記端部開口を閉塞するとともに上記周辺折り曲げ部で上記端部開口の内周面に支持される蓋材を成形するための装置であって：
上記蓋材の上記平坦部の上記所定の形状に対応した所定の形状の内周面を有する開口が形成され上記シート材料が載置される材料載置表面を有していて、上記開口の入口縁が面取りされている雌金型と；
上記雌金型の上記材料載置表面の上記開口の入口縁よりも大きな縁を有した開口が形成されていて、上記開口を上記雌金型の上記材料載置表面の上記開口の入口縁に対応させた状態で上記雌金型の上記材料載置表面上に載置された上記シート材料を上記材料載置表面上に押圧するシート材料押えと；そして、
上記蓋材の上記平坦部の上記所定の形状に対応していて凸部又は凹部となる段付部位を含んでいる所定の形状の外周面と、上記雌金型の上記材料載置表面に載置され上記シート材料押えにより上記材料載置表面上に押圧されている上記シート材料に接触する接触表面と、を有していて、上記外周面と上記接触表面との境界縁が面取りされており、上記外周面は少なくとも上記段付部位が上記蓋材の上記周辺折り曲げ部の折り曲げ長さよりも短い距離だけ上記接触表面から離れた位置からさらに上記接触表面に対し遠ざかるにつれて上記接触表面に沿った内方に傾斜されており、上記接触表面を上記シート材料に接触させた状態で上記シート材料を上記雌金型の上記材料載置表面の上記開口中に上記入口縁を介して押し込む、雄金型と；
を備えており、上記雌金型の上記材料載置表面上に載置された上記シート材料が上記雄金型により上記雌金型の上記材料載置表面の上記開口中に押し込まれる間には、上記シート材料において上記雄金型により上記雌金型の上記材料載置表面の上記開口中に押し込まれる部分と上記雌金型の上記材料載置表面上に上記シート材料押えにより押圧されている部分との間に引張り力が生じる、ことを特徴とする蓋材成形装置。
【請求項２】
上記所定の形状が多角形であり、上記雄金型の上記外周面の上記段付部位が上記多角形の隅部である、ことを特徴する請求項１に記載の蓋材成形装置。
【請求項３】
上記多角形が四角形である、ことを特徴する請求項２に記載の蓋材成形装置。
【請求項４】
上記雄金型の上記外周面は上記段付部位を含む全周に渡り、上記蓋材の上記周辺折り曲げ部の折り曲げ長さよりも短い距離だけ上記接触表面から離れた位置からさらに上記接触表面に対し遠ざかるにつれて、上記接触表面に沿った内方に傾斜されている、ことを特徴とする請求項１乃至３のいずれか１項に記載の蓋材成形装置。
【請求項５】
上記シート材料が、紙を基礎としてシート状に成形された材料である、ことを特徴とする請求項１乃至４のいずれか１項に記載の蓋材成形装置。
【請求項６】
上記シート材料が、積層構造である、ことを特徴とする請求項１乃至５のいずれか１項に記載の蓋材成形装置。
【請求項７】
上記雌金型の上記材料載置表面の上記開口の上記入口縁の上記面取りと、上記雄金型の上記外周面と上記接触表面との上記境界縁の上記面取りとが、凸状湾曲面により構成されている、ことを特徴とする請求項１乃至６のいずれか１項に記載の蓋材成形装置。
【発明の詳細な説明】
【０００１】
【発明の属する技術分野】
この発明は、シート材料から、所定の形状の平坦部と上記平坦部の周辺から上記平坦部の表面に対し交差する所定の方向に向かい折り曲げられた周辺折り曲げ部とを備えており筒状の容器本体の端部開口に挿入されて上記平坦部で上記端部開口を閉塞するとともに上記周辺折り曲げ部で上記端部開口の内周面に支持される蓋材を成形するための蓋材成形装置に関係している。
【０００２】
【従来の技術】
従来の上述した如き蓋材成形装置は：
上記蓋材の上記平坦部の上記所定の形状に対応した所定の形状の内周面を有する開口が形成され上記シート材料が載置される材料載置表面を有している雌金型と；そして、
上記蓋材の上記平坦部の上記所定の形状に対応した所定の形状の外周面と、上記雌金型の上記材料載置表面上に載置されている上記シート材料に接触する接触表面と、を有していて、上記接触表面を上記シート材料に接触させた状態で上記シート材料を上記雌金型の上記材料載置表面の上記開口中に押し込む雄金型と；
を備えている。
【０００３】
このような従来の蓋材成形装置においては、上記シート材料において上記雄金型の接触表面に接触された部分が上記蓋材における上記所定の形状の平坦部になり、また上記シート材料において上記雌金型の上記開口中で上記開口の内周面と上記雄金型の上記外周面との間に挟まれる部分が上記周辺折り曲げ部になる。
【０００４】
【発明が解決しようとする課題】
上述した如き従来の蓋材成形装置により形成された従来の蓋材は、上記平坦部において上記周辺折り曲げ部が折り曲げられた側の表面と上記周辺折り曲げ部において上記平坦部と対面する側の表面との間の境界線に沿い多数の皺が発生している。
【０００５】
また、上記蓋部材の上記平坦部の上記所定の形状が例えば４角形状の如き段付部位を有した形状の場合、上記周辺折り曲げ部において上記平坦部の上記段付部位に対応する位置に皺が発生している。
【０００６】
さらに上記蓋材が積層構造の場合には、上記皺に混じり表層の破れや複数の層間に空洞が生じることもある。
【０００７】
この発明は上記事情の下で為され、この発明の目的は、シート材料から、所定の形状の平坦部と上記平坦部の周辺から上記平坦部の表面に対し交差する所定の方向に向かい折り曲げられた周辺折り曲げ部とを備えており筒状の容器本体の端部開口に挿入されて上記平坦部で上記端部開口を閉塞するとともに上記周辺折り曲げ部で上記端部開口の内周面に支持される蓋材を成形するための蓋材成形装置であって、上記蓋部材の上記平坦部の上記所定の形状が例えば４角形状の如き段付部位を有した形状の場合であっても、上記平坦部において上記周辺折り曲げ部が折り曲げられた側の表面と上記周辺折り曲げ部において上記平坦部と対面する側の表面との間の境界線に沿い、あるいは上記周辺折り曲げ部において上記平坦部の上記段付部位に対応する位置に、皺を発生させることが無く、さらには、上記蓋材が積層構造の場合でも、上記皺を発生させず上記皺に混じる表層の破れや複数の層間に空洞を生じさせることがない、蓋材成形装置を提供することである。
【０００８】
【課題を解決するための手段】
上述したこの発明の目的を達成する為に、この発明に従った蓋材成形装置は、シート材料から、凸部又は凹部となる段付部位を含んでいる所定の形状の平坦部と上記平坦部の周辺から上記平坦部の表面に対し交差する所定の方向に向かい折り曲げられた周辺折り曲げ部とを備えており筒状の容器本体の端部開口に挿入されて上記平坦部で上記端部開口を閉塞するとともに上記周辺折り曲げ部で上記端部開口の内周面に支持される蓋材を成形するための装置であって：
上記蓋材の上記平坦部の上記所定の形状に対応した所定の形状の内周面を有する開口が形成され上記シート材料が載置される材料載置表面を有していて、上記開口の入口縁が面取りされている雌金型と；
上記雌金型の上記材料載置表面の上記開口の入口縁よりも大きな縁を有した開口が形成されていて、上記開口を上記雌金型の上記材料載置表面の上記開口の入口縁に対応させた状態で上記雌金型の上記材料載置表面上に載置された上記シート材料を上記材料載置表面上に押圧するシート材料押えと；そして、
上記蓋材の上記平坦部の上記所定の形状に対応していて凸部又は凹部となる段付部位を含んでいる所定の形状の外周面と、上記雌金型の上記材料載置表面に載置され上記シート材料押えにより上記材料載置表面上に押圧されている上記シート材料に接触する接触表面と、を有していて、上記外周面と上記接触表面との境界縁が面取りされており、上記外周面は少なくとも上記段付部位が上記蓋材の上記周辺折り曲げ部の折り曲げ長さよりも短い距離だけ上記接触表面から離れた位置からさらに上記接触表面に対し遠ざかるにつれて上記接触表面に沿った内方に傾斜されており、上記接触表面を上記シート材料に接触させた状態で上記シート材料を上記雌金型の上記材料載置表面の上記開口中に上記入口縁を介して押し込む、雄金型と；
を備えており、上記雌金型の上記材料載置表面上に載置された上記シート材料が上記雄金型により上記雌金型の上記材料載置表面の上記開口中に押し込まれる間には、上記シート材料において上記雄金型により上記雌金型の上記材料載置表面の上記開口中に押し込まれる部分と上記雌金型の上記材料載置表面上に上記シート材料押えにより押圧されている部分との間に引張り力が生じる、ことを特徴としている。
【０００９】
このように構成されたことを特徴としているこの発明に従った蓋材成形装置によれば、雌金型の材料載置表面上にシート材料が載置されると、シート材料押えが雌金型の材料載置表面の開口の入口縁よりも大きな縁を有した開口を雌金型の材料載置表面の開口の入口縁に対応させた状態で雌金型の材料載置表面上に載置されたシート材料を材料載置表面上に押圧する。
【００１０】
次に、蓋材の平坦部の所定の形状に対応した所定の形状の外周面と、雌金型の材料載置表面に載置されシート材料押えにより材料載置表面上に押圧されているシート材料に接触する接触表面と、を有していて、外周面と接触表面との境界縁が面取りされている雄金型が、接触表面を上記シート材料に接触させた状態でシート材料を雌金型の材料載置表面の開口中に入口縁を介して押し込む。
【００１１】
これにより、シート材料において雄金型の接触表面に接触した部分が上記所定の形状を有した平坦部となり、シート材料において雄金型の接触表面からはみ出した部分が雌金型の材料載置表面の開口の入口縁、即ち上記平坦部の周辺、において雌金型の上記開口中に引き込まれ上記開口の内周面に沿い上記平坦部の周辺から上記平坦部の表面に対し交差する所定の方向に向かい、即ち上記開口の入口縁に向かい、折り曲げられた周辺折り曲げ部となる。
【００１２】
なお、雌金型の材料載置表面上に載置されたシート材料が雄金型により雌金型の材料載置表面の開口中に押し込まれる間には、シート材料において雄金型により雌金型の材料載置表面の開口中に押し込まれる部分と雌金型の材料載置表面上にシート材料押えにより押圧されている部分との間に引張り力が生じる。
【００１３】
そして、雌金型の材料載置表面の開口の入口縁が面取りされているとともに雄金型の外周面と接触表面との境界縁が面取りされているので、上記引張り力はシート材料において雄金型の接触表面からはみ出した部分の全体に略均一に広がり、上記蓋部材の上記平坦部の上記所定の形状が例えば４角形状の如き段付部位を有した形状の場合であっても、上記平坦部において上記周辺折り曲げ部が折り曲げられた側の表面と上記周辺折り曲げ部において上記平坦部と対面する側の表面との間の境界線に沿い皺を発生させることが無く、さらには、上記蓋材が積層構造の場合でも、上記皺を発生させず上記皺に混じる表層の破れや複数の層間に空洞を生じさせることがない。
【００１４】
また、雄金型の外周面における少なくとも段付部位が上記蓋材の上記周辺折り曲げ部の折り曲げ長さよりも短い距離だけ上記接触表面から離れた位置からさらに上記接触表面に対し遠ざかるにつれて上記接触表面に沿った内方に傾斜されているので、上記引張り力が上記シート材料において雄金型の接触表面からはみ出した部分中で上記段付部位に対応する位置に集中することを防止し、上記段付部位に対応する位置に皺を発生させることがなく、さらには、上記蓋材が積層構造の場合でも、上記皺を発生させず上記皺に混じる表層の破れや複数の層間に空洞を生じさせることがない。
【００１５】
上述した如く構成されたことを特徴とするこの発明に従った蓋材成形装置においては、上記所定の形状や上記所定の形状に対応した雄金型の外周面の形状は、円や楕円や、三角や四角等を含む多角形や、不定形等の任意の種々の形状であることが出来るが、凸部又は凹部となるような段付き部位を含んでいる。
【００１６】
上述した如く構成されたことを特徴とするこの発明に従った蓋材成形装置においては、上記所定の形状が多角形の場合、上記雄金型の上記外周面の上記段付部位は上記多角形の隅部となる。
【００１７】
上記多角形には四角形が含まれている。
【００１８】
上記雄金型の上記外周面は、全周に渡り、上記蓋材の上記周辺折り曲げ部の折り曲げ長さよりも短い距離だけ上記接触表面から離れた位置からさらに上記接触表面に対し遠ざかるにつれて、上記接触表面に沿った内方に傾斜されていることも出来る。
【００１９】
さらに、上記シート材料は、紙を基礎としてシート状に成形された材料であることが出来る。
【００２０】
また、上記シート材料は、積層構造であることが出来る。
【００２１】
さらにまた、上記雌金型の上記材料載置表面の上記開口の上記入口縁の上記面取りと、上記雄金型の上記外周面と上記接触表面との上記境界縁の上記面取りとが、凸状湾曲面により構成されている、ことが好ましい。
【００２２】
凸状湾曲面により構成されている上記面取りは、上記引張り力のより均一な分散を可能にし、この発明の蓋材成形装置によりシート材料から成形される蓋材に上記皺や破れや空隙が生じることをより確実に防止する。
【００２３】
以下、この発明の一実施の形態に従った蓋材成形装置を添付の図面を参照しながら詳細に説明する。
【００２４】
【発明の実施の形態】
先ず最初は、添付の図面中の図１の（Ａ）乃至（Ｃ）を参照しながら、この発明の一実施の形態に従った蓋材成形装置によりシート材料から成形された蓋材１０及びこの蓋材１０が筒状の容器１２の端部開口１２ａに適用されて端部開口１２ａを閉塞した状態を説明する。
【００２５】
なおここで：図１の（Ａ）及び（Ｂ）は、この発明の一実施の形態に従った蓋材成形装置によりシート材料から成形された蓋材１０の平面図及び側面図であり；さらに、図１の（Ｃ）は、蓋材１０が筒状の容器本体１２の端部開口１２ａに適用されて端部開口１２ａを閉塞した状態を示す部分縦断面図である。
【００２６】
蓋材１０は、後述するこの発明の一実施の形態に従った蓋材成形装置によりシート材料から成形されており、図１の（Ａ）及び（Ｂ）中に示されている如く、所定の形状の平坦部１０ａと、平坦部１０ａの周辺から平坦部１０ａの表面に対し交差する所定の方向に向かい折り曲げられた周辺折り曲げ部１０ｂと、を備えている。
【００２７】
シート材料は、紙を基礎にしてシート状に成形されている材料であって、積層構造であることが出来る。積層構造の場合、例えば紙の基材上にプラスチック製の防水層及び／又は金属薄膜製の気密層を備えることが出来る。
【００２８】
蓋材１０は、図１の（Ｃ）中に示されている如く、上記蓋材成形装置とは別の図示されていない成形装置により筒状に成形されている容器本体１２の端部開口１２ａに挿入される。蓋材１０の平坦部１０ａの所定の形状及び寸法は、容器本体１２の端部開口１２ａの輪郭、即ち横断面形状、の所定の形状及び寸法に略一致されている。その為、容器本体１２の端部開口１２ａに挿入された蓋材１０の平坦部１０ａは端部開口１２ａを閉塞し、周辺折り曲げ部１０ｂで端部開口１２ａの内周面に支持される。この後、蓋材１０の周辺折り曲げ部１０ｂは、公知の固定手段により端部開口１２ａの内周面に固定される。
【００２９】
なお、図１の（Ａ）から明らかなように、この実施の形態において蓋材１０の平坦部１０ａの所定の形状は段付部位を有している多角形状の一種である四角形状であって、上記多角形状においては隅部１０ｃが段付部位になっている。隅部１０ｃは蓋材１０の成形時に応力が集中して破損するのを防止する為に小さな半径の曲面で構成されている。
【００３０】
上述した如き平坦部１０ｂと周辺折り曲げ部１０ｂとを有した蓋材１０を公知の蓋材成形装置の雌金型と雄金型との組み合わせにより構成した場合には、平坦部１０ａにおいて周辺折り曲げ部１０ｂが折り曲げられた側の表面と周辺折り曲げ部１０ｂにおいて平坦部１０ａと対面する側の表面との間の境界線に沿い多数の皺が発生しているし、蓋材１０の平坦部１０ａの所定の形状がこの実施の形態の場合のように段付部位を有した多角形状の一種である例えば略四角形状の場合、周辺折り曲げ部１０ｂにおいて平坦部１０ａの段付部位である隅部１０ｃに対応する位置に皺が発生している。
【００３１】
さらに蓋材１０が積層構造の場合には、上記皺に混じり表層の破れや複数の層間に空洞が生じることもある。
【００３２】
しかしながら、蓋材１０を、シート材料から後述するこの発明の一実施の形態に従った蓋材成形装置により作成した場合には、上述した如き皺や破れや空洞が発生しない。
【００３３】
次には、添付の図面中の図２乃至図４を参照しながら、この発明の一実施の形態に従った蓋材成形装置、及びこの蓋材成形装置によりシート材料から図１の（Ａ）及び（Ｂ）中に示されている如き平坦部１０ａと周辺折り曲げ部１０ｂとを備えた蓋材１０を成形する工程を説明する。
【００３４】
先ずは、この発明の一実施の形態に従った蓋材成形装置の構成部材である雌金型１４及びこれと供に使用されるシート材料押え１６の構成を図２の（Ａ）及び（Ｂ）を参照しながら詳細に説明するが：図２の（Ａ）は、この発明の一実施の形態に従った蓋材成形装置の構成部材である雌金型１４及びシート材料押え１６の概略的な平面図であり；そして、図２の（Ｂ）は、図２の（Ａ）の雌金型１４及びシート材料押え１６のＢ−Ｂ線に沿った概略的な縦断面である。
【００３５】
雌金型１４は、蓋材１０の為の図示されていないシート材料が載置される平坦な材料載置表面１４ａを有していて、材料載置表面１４ａには蓋材１０の平坦部１０ａの所定の形状に対応した所定の形状の内周面１４ｂを有する開口１４ｃが形成されている。詳細には、内周面１４ｂの所定の形状と寸法は、図１の（Ａ）及び（Ｂ）中の蓋材１０の平坦部１０ａにおいて周辺折り曲げ部１０ｂが折り曲げられていない側の表面（即ち、内側表面）の所定の形状と寸法に略一致されている。雌金型１４の材料載置表面１４ａの開口１４ｃの入口縁１４ｄは面取りされている。そして、この実施の形態では、入口縁１４ｄの面取りは凸状湾曲面により構成されている。
【００３６】
雌金型１４は、固定螺子挿入孔１４ｅ中に挿入された図示しない固定螺子により、この実施の形態の蓋材成形装置が設置される図示しない作業場の図示しない所定の位置に固定される。
【００３７】
シート材料押え１６には雌金型１４の材料載置表面１４ａの開口１４ｃの入口縁１４ｄよりも大きな縁１６ａを有した開口が形成されている。シート材料押え１６は、図２の（Ｂ）中に示されている如く雌金型１４の材料載置表面１４ａから離間した所定の開放位置と、雌金型１４の材料載置表面１４ａ上に図１の（Ａ）及び（Ｂ）中の蓋材１０の為の図示されていないシート材料が載置された後に自身の上記開口を雌金型１４の材料載置表面１４ａの開口１４ｃの入口縁１４ｄに対応させた状態で雌金型１４の材料載置表面１４ａ上に載置された上記シート材料に押し当てられ上記シート材料を材料載置表面１４ａ上に押圧する所定の押圧位置と、の間で移動可能である。
【００３８】
次には、この発明の一実施の形態に従った蓋材成形装置の構成部材の別の１つであり雌金型１４やシート材料押え１６と組み合わされて使用される雄金型１８の構成を図３の（Ａ）乃至（Ｄ）を参照しながら詳細に説明するが：図３の（Ａ）は、この発明の一実施の形態に従った蓋材成形装置の構成部材の別の１つである雄金型１８の概略的な平面図であり；図３の（Ｂ）は、図３の（Ａ）の雄金型１８の概略的な側面図であり；図３の（Ｃ）は、図３の（Ａ）の雄金型１８において参照符合Ｃにより指摘されている２点鎖線で囲まれた部分の概略的な拡大平面図であり；そして図３の（Ｄ）は、図３の（Ｃ）に拡大して示されている部分を矢印Ｄの方向から見た概略的な拡大側面図である。
【００３９】
雄金型１８は、蓋材１０の平坦部１０ａの上記所定の形状に対応した所定の形状の外周面１８ａと、図２中の雌金型１４の材料載置表面１４ａに載置されシート材料押え１６により材料載置表面１４ａ上に押圧されている図示されていない上記シート材料に接触する接触表面１８ｂと、を有している。詳細には、外周面１８ａの上記所定の形状と寸法は、図１の（Ａ）及び（Ｂ）中に蓋材１０の平坦部１０ａにおいて周辺折り曲げ部１０ｂが折り曲げられている側の表面（即ち、外側表面）の所定の形状と寸法に略一致されている。
【００４０】
外周面１８ａと接触表面１８ｂとの境界縁１８ｃが面取りされており、この実施の形態では、境界縁１８ｃの面取りは凸状湾曲面により構成されている。
【００４１】
外周面１８ａにおける少なくとも段付部位（隅部）１８ｄは、蓋材１０の周辺折り曲げ部１０ｂの折り曲げ長さＢＬよりも短い距離だけ接触表面１８ｂから離れた位置Ｐからさらに接触表面１８ｂに対し遠ざかるにつれて、接触表面１８ｂに沿った内方に所定の角度αだけ傾斜されている。なお、外周面１８ａにおける少なくとも段付部位（隅部）１８ｄは、接触表面１８ｂから位置Ｐまでの間は、面取りされている境界縁１８ｃを除き接触表面１８ｂに対し直交する実質的な直線により構成されている。
【００４２】
雄金型１８の平面の中心には連結孔１８ｅが形成されている。連結孔１８ｅには、上記図示しない作業場における上記図示しない所定の位置に固定されている雌金型１４の材料載置表面１４ａの開口１４ｃに対応して雄金型１８を支持し、雌金型１４の材料載置表面１４ａの開口１４ｃの上方に雄金型１８を配置した離間位置と開口１４ｃ中に雄金型１８を所定の深さまで挿入した挿入位置との間で往復移動させる公知の図示しない往復移動装置の往復移動部材の端部が連結される。
【００４３】
次には、添付の図面中の図４の（Ａ）及び（Ｂ）を参照しながら、図２及び図３を参照しながら説明した雌金型１４，シート材料押え１６，そして雄金型１８が相互に組み合わされて構成された本願の発明の一実施の形態に従った蓋材成形装置によりシート材料から図１の（Ａ）及び（Ｂ）中に示されている蓋材１０が成形される工程を説明する。
【００４４】
なおここで、図４の（Ａ）は、本願の発明の一実施の形態に従った蓋材成形装置によりシート材料から蓋材１０を形成する直前の工程を概略的に示す縦断面図であり；そして図４の（Ｂ）は、本願の発明の一実施の形態に従った蓋材成形装置によりシート材料から蓋材１０が成形された直後の工程を概略的に示す縦断面図である。
【００４５】
本願の発明の一実施の形態に従った蓋材成形装置により図１の（Ａ）及び（Ｂ）中に示されている蓋材１０へと成形されるシート材料の素材２０が、上記蓋材成形装置における成形工程とは独立して準備されている。素材２０は、材料載置表面１４ａの開口１４ｃの上記所定の形状に対応した所定の形状（即ち、この実施の形態では、四隅が丸められた四角形状）を有しており、開口１４ｃの上記所定の形状の寸法はもとよりシート材料押え１６の開口の縁１６ａの上記所定の形状の寸法よりも大きな寸法に設定されている。
【００４６】
上記蓋材成形装置において雄金型１８が、前述した如く上記図示されていない作業場における上記図示されていない所定の位置に固定されている雌金型１４の材料載置表面１４ａの開口１４ｃから離間されているとともに、シート材料押え１６が、雌金型１４の材料載置表面１４ａ上から離間されている間に、素材２０は、材料載置表面１４ａ上に載置される。
【００４７】
この時、素材２０は、材料載置表面１４ａの開口１４ｃに対し、開口１４ｃの上記所定の形状に対応させて（即ち、この実施の形態では、開口１４ｃの上記所定の形状の段付部位である四隅に素材２０の上記所定の形状の段付部位である四隅を対応させて）同心的に配置される。
【００４８】
次に、雌金型１４の材料載置表面１４ａ上に上述した如く載置されたシート材料の素材２０を、図４の（Ａ）中に示されている如く、シート材料押え１６により押圧する。この時、シート材料押え１６は、材料載置表面１４ａの開口１４ｃに対し、開口１４ｃの上記所定の形状に対応させて（即ち、この実施の形態では、開口１４ｃの上記所定の形状の段付部位である四隅にシート材料押え１６の開口の縁１６ａの上記所定の形状の段付部位である四隅を対応させて）同心的に配置される。
【００４９】
この状態が、図４の（Ａ）中に示されている。
【００５０】
図４の（Ａ）中には、雄金型１８を、図４の（Ａ）中に示されている離間位置と前述した如く雌金型１４の材料載置表面１４ａの開口１４ｃ中に所定の深さまで挿入した挿入位置との間で往復移動させる公知の図示しない往復移動装置の往復移動部材の端部が参照符合２２により指摘されている。
【００５１】
次に雄金型１８が、上記図示しない往復移動装置により、シート材料押え１６の開口を介して雌金型１４の材料載置表面１４ａ上のシート材料２０に接触表面１８ｂを接触させて押圧する。この時、雄金型１８は、材料載置表面１４ａの開口１４ｃに対し、開口１４ｃの上記所定の形状に対応させて（即ち、この実施の形態では、開口１４ｃの上記所定の形状の段付部位である四隅に雄金型１８の接触表面１８ｂの上記所定の形状の段付部位である四隅を対応させて）同心的に配置される。
【００５２】
上記図示しない往復移動装置により雄金型１８がさらに押圧されると、雄金型１８は、シート材料２０に接触表面１８ｂを接触させた状態でシート材料２０を材料載置表面１４ａの開口１４ｃ中に入口縁１４ｄを介して押し込む。
【００５３】
これにより、シート材料の素材２０において雄金型１８の接触表面１８ａに接触した部分が蓋材１０の上記所定の形状を有した平坦部１０ａとなり、シート材料の素材２０において雄金型１８の接触表面１８ａからはみ出した部分が雌金型１４の材料載置表面１４ａの開口１４ｃの入口縁１４ｄ、即ち平坦部１０ａの周辺、において雌金型１４の開口１４ｃ中に引き込まれ開口１４ｃの内周面１４ｂと開口１４ｃ中の雄金型１８の外周面１８ａとに挟持された状態で開口１４ｃの内周面１４ｂに沿い平坦部１０ａの周辺から平坦部１０ａの表面に対し交差する所定の方向に向かい、即ち開口１４ｃの入口縁１４ｄに向かい、折り曲げられた周辺折り曲げ部１０ｂとなる。
【００５４】
この状態が、図４の（Ｂ）中に示されており、図１の（Ａ）及び（Ｂ）中に示されている蓋材１０が成形されている。
【００５５】
上述した如く、雌金型１４の材料載置表面１４ａ上に載置されたシート材料の素材２０が雄金型１８により雌金型１４の材料載置表面１４ａの開口１４ｃ中に押し込まれる間には、シート材料の素材２０において雄金型１８により雌金型１４の材料載置表面１４ａの開口１４ｃ中に押し込まれる部分と雌金型１４の材料載置表面１４ａ上にシート材料押え１６により押圧されている部分との間に引張り力が生じる。
【００５６】
そして、雌金型１４の材料載置表面１４ａの開口１４ｃの入口縁１４ｄが面取りされているとともに雄金型１８の外周面１８ｂと接触表面１８ａとの境界縁１８ｃが面取りされているので、上記引張り力はシート材料の素材２０において雄金型１８の接触表面１８ａからはみ出した部分の全体に略均一に広がり、蓋部材１０の平坦部１０ａの上記所定の形状が例えば４角形状の如き段付部位を有した形状の場合であっても、平坦部１０ａにおいて周辺折り曲げ部１０ｂが折り曲げられた側の表面（外側表面）と周辺折り曲げ部１０ｂにおいて平坦部１０ａと対面する側の表面との間の境界線に沿い皺を発生させることが無く、さらには、蓋材１０が積層構造の場合でも、上記皺を発生させず上記皺に混じる表層の破れや複数の層間に空洞を生じさせることがない。
【００５７】
また、雄金型１８の外周面１８ｂにおける少なくとも段付部位（この実施の形態では隅部）１８ｄが、蓋材１０の周辺折り曲げ部１０ｂの折り曲げ長さＢＬよりも短い距離だけ接触表面１８ｂから離れた位置Ｐまでは面取りされている境界縁１８ｃを除き接触表面１８ｂに対し直交する実質的な直線であるとともに、さらには上記位置Ｐから接触表面１８ｂに対しさらに遠ざかるにつれて、接触表面１８ａに沿った内方に角度αだけ傾斜されているので、上記引張り力がシート材料の素材２０において雄金型１８の接触表面１８ａからはみ出した部分中で上記段付部位に対応する位置に集中することを防止し、上記段付部位１８ｄに対応する位置に皺を発生させることがなく、さらには、蓋材１０が積層構造の場合でも、上記皺を発生させず上記皺に混じる表層の破れや複数の層間に空洞を生じさせることがない。
【００５８】
上述した如くしてシート材料の素材２０から成形された後の蓋材１０は、雄金型１８が雌金型１４の材料載置表面１４ａの開口１４ｃ中に所定の深さまで到達すると、周辺折り曲げ部１０ｂの先端が雌金型１４の開口１４ｃから抜け出し、その後に蓋材１０は、図１の（Ｃ）中に示されている如く筒状の容器１２の端部開口に挿入され上記端部開口を閉塞する為の工程へと送られる。
【００５９】
なお上述した実施の形態では、雄金型１８の外周面１８ａにおいて少なくとも段付部位（上述した実施の形態では隅部）１８ｄが、蓋材１０の周辺折り曲げ部１０ｂの折り曲げ長さＢＬよりも短い距離だけ接触表面１８ｂから離れた位置Ｐまでは、面取りされている境界縁１８ｃを除き接触表面１８ｂに対し直交する実質的な直線であるとともに、さらには上記位置Ｐから接触表面１８ｂに対しさらに遠ざかるにつれて、接触表面１８ａに沿った内方に角度αだけ傾斜されていた。しかしながら、外周面１８ａの全周に渡り、蓋材１０の周辺折り曲げ部１０ｂの折り曲げ長さＢＬよりも短い距離だけ接触表面１８ｂから離れた位置Ｐまでは、面取りされている境界縁１８ｃを除き接触表面１８ｂに対し直交する実質的な直線であるとともに、さらには上記位置Ｐから接触表面１８ｂに対しさらに遠ざかるにつれて、接触表面１８ａに沿った内方に角度αだけ傾斜されているように構成しても、上述した実施の形態の雄金型１８と同様な効果を得ることが出来る。
【００６０】
また上述した実施の形態においては、蓋材１０の平坦部１０ａの所定の形状及びこの所定の形状に対応した雄金型１８の外周面１８ａの形状は、実質的な四角形状であって隅部１０ｃが段付き部位となっているが、本願の発明の理念に従えば、円や楕円や、四角形状以外の多角形や、不定形等の任意の種々の形状であることが出来るが、凸部又は凹部となるような段付き部位を含んでいる。
【００６１】
【発明の効果】
以上詳述したことから明らかなように、この発明に従った蓋材成形装置によれば、シート材料から、所定の形状の平坦部と上記平坦部の周辺から上記平坦部の表面に対し交差する所定の方向に向かい折り曲げられた周辺折り曲げ部とを備えており筒状の容器本体の端部開口に挿入されて上記平坦部で上記端部開口を閉塞するとともに上記周辺折り曲げ部で上記端部開口の内周面に支持される蓋材を成形するための蓋材成形装置であるが、上記蓋部材の上記平坦部の上記所定の形状が例えば４角形状の如き段付部位を有した形状の場合であっても、上記平坦部において上記周辺折り曲げ部が折り曲げられた側の表面と上記周辺折り曲げ部において上記平坦部と対面する側の表面との間の境界線に沿い、あるいは上記周辺折り曲げ部において上記平坦部の上記段付部位に対応する位置に、皺を発生させることが無く、さらには、上記蓋材が積層構造の場合でも、上記皺を発生させず上記皺に混じる表層の破れや複数の層間に空洞を生じさせることがない。
【図面の簡単な説明】
【図１】図１の（Ａ）は、この発明の一実施の形態に従った蓋材成形装置によりシート材料から成形された蓋材の平面図であり；
図１の（Ｂ）は、この発明の一実施の形態に従った蓋材成形装置によりシート材料から成形された蓋材の側面図であり；そして、
図１の（Ｃ）は、蓋材が筒状の容器本体の端部開口に適用されて端部開口を閉塞した状態を示す部分縦断面図である。
【図２】図２の（Ａ）は、この発明の一実施の形態に従った蓋材成形装置の構成部材である雌金型及びシート材料押えの概略的な平面図であり；そして、
図２の（Ｂ）は、図２の（Ａ）の雌金型及びシート材料押えのＢ−Ｂ線に沿った概略的な縦断面である。
【図３】図３の（Ａ）は、この発明の一実施の形態に従った蓋材成形装置の構成部材の別の１つである雄金型の概略的な平面図であり；
図３の（Ｂ）は、図３の（Ａ）の雄金型の概略的な側面図であり；
図３の（Ｃ）は、図３の（Ａ）の雄金型において参照符合Ｃにより指摘されている２点鎖線で囲まれた部分の概略的な拡大平面図であり；そして、
図３の（Ｄ）は、図３の（Ｃ）に拡大して示されている部分を矢印Ｄの方向から見た概略的な拡大側面図である。
【図４】図４の（Ａ）は、本願の発明の一実施の形態に従った蓋材成形装置によりシート材料から蓋材を形成する直前の工程を概略的に示す縦断面図であり；そして、
図４の（Ｂ）は、本願の発明の一実施の形態に従った蓋材成形装置によりシート材料から蓋材が成形された直後の工程を概略的に示す縦断面図である。
【符号の説明】
１０  蓋材
１０ａ  平坦部
１０ｂ  周辺折り曲げ部
１２  容器
１２ａ  端部開口
１４  雌金型
１４ａ  材料載置表面
１４ｂ  内周面
１４ｃ  開口
１４ｄ  入口縁
１６  シート材料押え
１６ａ  縁
１８  雄金型
１８ａ  外周面
１８ｂ  接触表面
１８ｃ  境界縁
１８ｄ  段付部位
２０  素材（シート材料）
【図１】
0004035965.tif 000002
【図２】
0004035965.tif 000003
【図３】
0004035965.tif 000004
【図４】
0004035965.tif 000005